(57)【要約】【課題】画面に表示される情報を検索する際に、検索された所望の番組の位置や所望の番組までのスクロールすべき方向を容易に特定することができる情報提供装置を提供すること。【解決手段】電子番組表６の一部が画面に表示されると共に電子番組表６から所望の番組情報を検索して選択する情報提供装置１０において、所望の番組情報を自動車内７で音声に変換すると共に電子番組表６の中で所望の番組情報が配置されている位置と自動車内７における基準位置とを対応させて音声を出力するように音像定位を制御する制御手段１１を備えて構成する。【選択図】図５
2008005234.tif 000002
【特許請求の範囲】
【請求項１】
複数の情報のうち一部が画面に表示されると共に前記情報から所望の情報を検索して選択する情報提供装置において、
前記所望の情報を音声に変換すると共に前記所望の情報が配置されている位置と室内における基準位置とを対応させて前記音声を出力するように音像定位を制御する制御手段を備えたことを特徴とする情報提供装置。
【請求項２】
前記制御手段は、前記画面に表示される情報の位置を基準位置とし、前記画面上の基準位置から前記所望の情報が配置されている相対的な位置を算出すると共に、前記相対的な位置から特定される前記室内の位置に前記音声を出力するように音像定位を制御することを特徴とする請求項１に記載の情報提供装置。
【請求項３】
前記制御手段は、前記画面に表示される情報が時刻に基づいた電子番組表である場合、前記画面上の基準位置と現在時刻とを対応させて前記室内に前記音声を出力するように音像定位を制御することを特徴とする請求項２に記載の情報提供装置。
【請求項４】
前記室内における基準位置は、前記相対的な位置から特定される位置が前記室内に音像定位可能な位置に設定可能であることを特徴とする請求項２または請求項３に記載の情報提供装置。
【請求項５】
複数の情報を備え一部の情報が画面に表示されると共に前記情報から所望の情報を音声に変換し、前記所望の情報が配置されている位置と前記室内の位置とを対応させて前記音声を出力するように音像定位を制御することを特徴とする集積回路。
【発明の詳細な説明】
【技術分野】
【０００１】
本発明は、複数の情報を備えると共に一部の情報が画面に表示された情報から所望の情報を検索して選択する情報提供装置に関し、特に、電子番組表から所望の番組を検索する情報提供装置および集積回路に関する。
【背景技術】
【０００２】
従来、カーナビゲーションシステムなどの情報提供装置で使用されるディスプレイは小型であり、そのディスプレイに表示される文字も小さいため、電子番組表を用いた番組の選局は容易ではなかった。特に、車内のように揺れがあるところでは、表示された小さな文字を読むことが困難になる。そこで、カーナビゲーションシステムに音声ガイドが導入され、ユーザは、番組選局のボタンを押下するたびに、放送局名あるいは番組タイトルを音声で聞くことができ、見たい番組を選局できるものがある（例えば、特許文献１参照）。
【０００３】
また、従来のカーナビゲーションシステムでは、電子番組表から見たい番組を選択する場合、キーワードに基づいて見たい番組を検索し、検索結果としてキーワードにヒットした番組情報の色が、他の番組と異なる色に加工された電子番組表を表しており、ユーザが電子番組表を一見したときにどの番組がキーワードにヒットしたのかを判るように電子番組表が加工されて表示されるものがある（例えば、特許文献２参照）。
【特許文献１】特開２００５−３１１７５９号公報
【特許文献２】特開２００６−５５４１号公報（第３４段落、第３図）
【発明の開示】
【発明が解決しようとする課題】
【０００４】
しかしながら、従来のカーナビゲーションシステムで使用されるディスプレイの表示領域では、電子番組表の全体を表示することができず、電子番組表の一部しか表示されないという問題があった。また、ユーザがキーワードに基づいて番組を検索したとしても、検索した番組がディスプレイに表示されてない状況となり、ユーザが電子番組表の一部をスクロールしながら、検索した番組を表示させて確認する必要があった。
【０００５】
そこで本発明は、従来の問題を解決するためになされたものであって、画面に表示される情報から所望の番組を検索する際に、検索された所望の番組の位置や所望の番組までのスクロールすべき方向を容易に特定することができる情報提供装置および集積回路を提供するものである。
【課題を解決するための手段】
【０００６】
本発明の情報提供装置は、複数の情報のうち一部が画面に表示されると共に前記情報から所望の情報を検索して選択する情報提供装置において、前記所望の情報を音声に変換すると共に前記所望の情報が配置されている位置と室内における基準位置とを対応させて前記音声を出力するように音像定位を制御する制御手段を備えた構成を有している。
【０００７】
この構成により、ユーザが複数の情報から所望の情報を検索する際に、所望の情報が配置される位置と室内とを対応させて音声を出力するように音像定位を制御するので、検索された所望の情報の位置や所望の情報までのスクロールすべき方向をユーザが容易に特定することができる。
【０００８】
また、本発明の情報提供装置の前記制御手段は、前記画面に表示される情報の位置を基準位置とし、前記画面上の基準位置から前記所望の情報が配置されている相対的な位置を算出すると共に、前記相対的な位置から特定される前記室内の位置に前記音声を出力するように音像定位を制御する構成を有している。
【０００９】
この構成により、画面上の基準位置を室内と対応させているので、画面上の基準位置から所望の情報が配置されている相対的な位置を特定して室内の相対的な位置に音声を出力するように音像定位を制御することができるので、所望の情報が画面上及び画面に表示されていない部分のどこにあるのか容易に把握することができる。
【００１０】
また、本発明の情報提供装置の前記制御手段は、前記画面に表示される情報が時刻に基づいた電子番組表である場合、前記画面上の基準位置と現在時刻とを対応させて前記室内に前記音声を出力するように音像定位を制御する構成を有している。
【００１１】
この構成により、画面上の基準位置と現在時刻を一致させて室内における基準位置に対して音像定位をさせて出力するので、現在時刻以降に放送される番組をユーザが容易に特定することができる。
【００１２】
また、本発明の情報提供装置は、前記室内における基準位置が前記相対的な位置から特定される位置が前記室内に音像定位可能な位置に設定可能である構成を有している。
【００１３】
この構成により、室内空間に対応した位置を室内における基準位置として設定することでができるので所望の情報をユーザが容易に特定することができる。
【００１４】
本発明の集積回路は、複数の情報を備え一部の情報が画面に表示されると共に前記情報から所望の情報を音声に変換し、前記所望の情報が配置されている位置と前記室内の位置とを対応させて前記音声を出力するように音像定位を制御する構成を有している。
【００１５】
この構成により、所望の情報が配置される位置と室内とを対応させて音声を出力するように音像定位を制御ことができる集積回路であり、この集積回路を用いることで、検索された所望の情報の位置や所望の情報までのスクロールすべき方向をユーザが容易に特定することができる。
【発明の効果】
【００１６】
以上のように本発明は、画面に表示される情報を検索する際に、検索された所望の番組の位置や所望の番組までのスクロールすべき方向を容易に特定することができる情報提供装置および集積回路を提供するものである。
【発明を実施するための最良の形態】
【００１７】
以下、本発明の実施の形態について、図面を参照して説明する。本実施の形態においては、本発明の情報提供装置を車載用のナビゲーション装置に適用した例について説明する。なお、車載用のナビゲーション装置に適用した情報提供装置は、経路案内の情報を提供するが、自動車内などの室内にいるユーザにテレビ番組の視聴や電子番組表などの情報も提供することができるように構成されている。
【００１８】
図１は、本発明の実施の形態に係る情報提供装置のブロック図である。情報提供装置１０は、制御手段１１、電子番組表受信手段１２、記憶手段１３、操作手段１４、音声入力手段１５、音声認識手段１６、音声出力手段１７、表示手段１８、および計時手段１９によって構成されている。
【００１９】
制御手段１１は、カーナビゲーションシステムやテレビの視聴に関わるプログラムを実行するＣＰＵ（Central Processing Unit）などによって構成されている。また、画面上に基準位置を設定して画面上の基準位置から所望の情報が配置されている相対的な位置を算出し、算出された相対的な位置（距離）に基づいて室内に音声を出力して音像定位することで、所望の情報がどこにあるか室内の音像定位によって把握することができるように構成されている。なお、音像定位とは、音像が特定の位置に定まることを言う。
【００２０】
電子番組表受信手段１２は、アンテナを介して、番組の映像および音声信号と共に多重される電子番組表データが含まれるデジタル放送波を受信するようになっている。
【００２１】
記憶手段１３は、ＲＡＭ（Random Access Memory）やＲＯＭ（Read Only Memory）などによって構成され、電子番組表受信手段１２が受信した電子番組表データおよび制御手段１１が実行するプログラムを記憶するようになっている。なお、図２に、本発明の実施の形態で用いられる電子番組表を示す。
【００２２】
図２に示した電子番組表は、縦軸に時刻、横軸にチャンネルとし、時刻とチャンネルとに対応する番組情報を表形式で表すものである。電子番組表内の１マスに対応する番組情報は、放送局、放送日、開始時刻、終了時刻、ジャンル、番組名、出演者、および番組の内容などによって構成される。
【００２３】
操作手段１４は、利用者からの操作を受け付けるタッチパネルやリモコンに関わる部位などによって構成され、例えば、電子番組表にある全番組から番組のジャンル等を含む特定の条件に該当する番組を制御手段１１に検索させるときの操作を受け付けるようになっている。具体的には、利用者は、番組のジャンルの１つであるスポーツという条件で番組を検索するときには、「スポーツ」と入力する。また、タッチパネルである場合には「スポーツ」に対応するタッチ箇所に触れて操作する。
【００２４】
音声入力手段１５は、マイクロホンなどによって構成され、例えば、電子番組表にある全番組から番組のジャンル等を含む特定の条件に該当する番組を制御手段１１に検索させるときの利用者の発話を入力するようになっている。具体的には、利用者は、番組のジャンルの１つであるスポーツという条件で番組を検索したいときには、「スポーツ」と発話し、音声入力手段１５は、この音声を入力する。音声認識手段１６は、音声入力手段１５を介して入力された音声を公知の音声認識技術に基づいて認識して文字列等の情報に変換するようになっている。
【００２５】
なお、制御手段１１は、音声認識手段１６が認識して出力された文字列等の情報や、操作手段１４で受け付けた番組のジャンルなどを特定の条件とし、この条件で該当する番組を検索するようになっている。また、制御手段１１は、検索した番組に関する情報を公知の合成音声技術を利用して音声に変換して音声出力手段１７に出力するようになっている。
【００２６】
音声出力手段１７は、スピーカなどによって構成され、音声を室内に出力するようになっている。また、音像定位ができるように、室内には音声出力手段１７が少なくとも２つ以上備えられている。例えば、制御手段１１は、複数のスピーカの音量やディレイを調整することで音像定位させることができる。
【００２７】
表示手段１８は、液晶ディスプレイなどによって構成され、記憶手段１３に記憶してある電子番組表データを電子番組表として表示するようになっている。なお、本発明の実施の形態では、表示手段１８の画面が小型であるため、画面の表示領域は、図２に示すように領域９で電子番組表の全体を表示することができないものとして説明するが、表示手段１８の画面には、電子番組表の全体を表示するものが使用されてもよい。
【００２８】
計時手段１９は、時刻を計時しており、現在時刻などの情報を制御手段１１に通知するようになっている。
【００２９】
また、制御手段１１は、記憶手段１３に記憶されたプログラムを実行することによって、後述する情報提供装置１０の各処理を実行するなどして各部を制御するようになっている。本発明の実施の形態では、経路案内機能の説明を省略している。
【００３０】
なお、本発明の集積回路は、制御手段１１を備えて構成するようにしてもよく、制御手段１１に加えてさらに、電子番組表受信手段１２、記憶手段１３、および計時手段１９などを備えて構成するようにしてもよい。
【００３１】
以上のように構成された情報提供装置１０が電子番組表に関わる情報を提供するときの処理について図面を用いて説明する。図３は、本発明の実施の形態に係る情報提供装置の処理の一例を表したフローチャートである。
【００３２】
まず、操作手段１４または音声入力手段１５を用いて入力されたキーワードによる検索機能が開始される（Ｓ１）。制御手段１１は、電子番組表から特定の番組を検索するためのキーワードが入力されたか否かを判定する（Ｓ２）。なお、キーワードには、ユーザが見たい番組のジャンル、番組名、または興味のある用語等を含む番組を特定するための如何なるものが指定されてもよい。
【００３３】
また、情報提供装置１０がユーザにキーワードを入力させる方法としては、リモコンのボタン等を操作して表示手段１８の画面上でキーワードを入力または選択する方法や、ユーザがキーワードを発話して音声入力手段１５を介して入力し、入力した音声を音声認識手段１６で文字列等の情報に変換する方法がある。
【００３４】
キーワードが入力された場合、制御手段１１は、記憶手段１３に電子番組表データが記憶されているか確認することで、電子番組表データを取得したか否かを判定し（Ｓ３）、電子番組表データを取得していない場合は処理を終了する（Ｓ１１）。
【００３５】
制御手段１１は、電子番組表データを取得している場合、記憶されている電子番組表データから、指定されたキーワードで所望の番組を検索する（Ｓ４）。
【００３６】
また、番組の検索方法としては、図２に示したように電子番組表データにある各番組がジャンルデータを含む場合、入力されたジャンルに一致するジャンルを持った番組を抽出する方法や、電子番組表データにある各番組名または各番組内容にキーワードを含む番組を抽出する方法などがある。
【００３７】
ここで、電子番組表においてキーワードで抽出された番組の位置を図４に示す。キーワードで抽出された番組の位置は、位置４２、４３であり、キーワードで抽出された番組が、領域９内にないため、ユーザが、キーワードにヒットした所望の番組が電子番組表のどこにあるのかこのままでは特定できない。そこで、以下に説明する処理がなされる。
【００３８】
まず、制御手段１１がキーワードで所望の番組を検索した後、制御手段１１は、検索した所望の番組のうち全ての番組を選択したか否かを確認し（Ｓ５）、全ての番組を選択していない場合、検索した所望の番組のうち、未だ選択していない番組を１つ選択する（Ｓ６）。
【００３９】
次に、制御手段１１は、画面に表示されている番組情報のうち特定の位置を基準位置にして、選択した番組が配置されている位置における相対的な位置を算出する（Ｓ７）。例えば、画面上の基準位置を位置４１とし、選択した番組の位置を位置４２としたとき、相対的な位置は、相対位置（右２、下５）となる。
【００４０】
次に、制御手段１１は、室内における基準位置を基準にして、算出した相対位置から特定される室内の位置を算出する（Ｓ８）。例えば、図５に示すように、電子番組表６と自動車内７とを重ねたときに、電子番組表６、自動車内７のそれぞれの位置が同じ位置にある同士が対となる対応関係をもつ。例えば、電子番組表６においてｃｈ２で７：００に放送される番組の位置は、ｘ＝１、ｙ＝１の自動車内７の位置に対応する。
【００４１】
例えば、自動車内７における基準位置が位置（ｘ＝２、ｙ＝０）であり、ステップＳ７で算出した相対位置が、相対位置（右２、下５）であれば、制御手段１１は、基準位置（ｘ＝２、ｙ＝０）から右２および下５になる位置（ｘ＝４、ｙ＝５）を算出する。
【００４２】
次に、制御手段１１は、ステップＳ８で算出した室内の位置に音像定位を設定し（Ｓ９）、設定した音像定位で、選択した番組に関する情報の案内音声を音声出力手段１７に出力させる（Ｓ１０）。すなわち、選択した番組の情報となる、放送局、放送日、開始時刻、終了時刻、ジャンル、番組名、出演者、および番組の内容などの情報が、設定した音像定位で音声として出力される。以降、制御手段１１は、ステップＳ５からＳ１０までを繰返し、ステップＳ５で全ての番組を選択したとき処理を終了する（Ｓ１１）。
【００４３】
ここで、画面上の基準位置について説明するための図を図６に示す。画面上の基準位置は、予め設定されるものであり、図６（Ａ）に示すように時刻軸の最小の時刻とチャネル軸の最小のチャネル値とが交差する位置６１や時刻軸の中央値とチャネル軸の中央値とが交差する位置６２などの特定の位置にしてもよく、図６（Ｂ）に示すように検索時にカーソルで電子番組表が選択されている番組の位置６３にしてもよい。
【００４４】
また、画面上の基準位置は、検索する際に計時手段１９が出力した現在時刻に時刻軸が相当する位置とチャネル軸の中央値とが交差する位置にしてもよく、また、チャネル軸の中央値に替えて最小のチャネル値とが交差する位置、または検索時にカーソルで電子番組表が選択されているチャネル軸の位置とが交差する位置にしてもよい。図６（Ｃ）には、時刻軸が現在時刻に相当する位置と、検索時にカーソルで電子番組表が選択されているチャネル軸の位置とが交差する位置６４を表している。
【００４５】
室内における基準位置は、予め設定されるものであり、例えば、図５の自動車内７の座席８に座ったときの位置にしてもよい。画面上の基準位置が時刻軸の現在時刻に相当する位置であったとき、自動車内７における基準位置は、最も上の位置の付近、例えば位置（ｘ＝２、ｙ＝０）にあれば、これから放送される番組の位置を自動車内７に音像定位させることができる。
【００４６】
以上説明したように、本発明の実施の形態に係る情報提供装置は、ユーザが電子番組表から所望の番組を検索する際に、画面上の基準位置を基準にして、検索した所望の番組が配置されている位置における相対的な位置を算出し、室内における基準位置を基準にして相対的な位置から特定される室内の位置に、検索した所望の番組の情報の音声を音像定位させるため、ユーザは、検索された所望の番組の位置や所望の番組までのスクロールすべき方向を容易に特定することができる。
【００４７】
なお、以上説明した本発明の実施の形態では、室内における基準位置を基準にして相対的な位置から特定される室内の位置に音像定位するように説明したが、図５の電子番組表６の位置と自動車内７の位置とが図５で説明した対応関係をもっている場合に、相対位置を算出せずに、検索された電子番組表６における所望の番組の位置と対応する自動車内７の位置に音像定位させるようにしてもよい。
【００４８】
また、電子番組表６の位置と自動車内７の位置との対応関係は、図５で説明した対応関係に限定することはなく、電子番組表６の各位置を自動車内７の特定の範囲にある位置に対応させたり、電子番組表６の各位置を自動車内７を含む範囲にある位置に対応させてもよい。
【産業上の利用可能性】
【００４９】
以上のように、本発明は、検索された所望の番組の位置や所望の番組までのスクロールすべき方向を容易に特定することができるという効果を有し、電子番組表から所望の番組を検索するカーナビゲーションシステム等として有用である。
【図面の簡単な説明】
【００５０】
【図１】本発明の実施の形態に係る情報提供装置のブロック図
【図２】本発明の実施の形態で用いられる電子番組表を示す図
【図３】本発明の実施の形態に係る情報提供装置の処理の一例を表したフローチャート
【図４】電子番組表においてキーワードで抽出された番組の位置を示す図
【図５】電子番組表の位置と自動車内の位置との対応関係を示す図
【図６】画面上の基準位置について説明するための図
【符号の説明】
【００５１】
６  電子番組表
７  自動車内
８  座席
９  領域
１０  情報提供装置
１１  制御手段
１２  電子番組表受信手段
１３  記憶手段
１４  操作手段
１５  音声入力手段
１６  音声認識手段
１７  音声出力手段
１８  表示手段
１９  計時手段
４１、４２、４３、６１、６２、６３、６４  位置
【図１】
2008005234.tif 000003
【図２】
2008005234.tif 000004
【図３】
2008005234.tif 000005
【図４】
2008005234.tif 000006
【図５】
2008005234.tif 000007
【図６】
2008005234.tif 000008